(57)【特許請求の範囲】
【請求項１】
テレビジョン放送波を受信する少なくとも１つのチューナと、前記チューナより出力された映像信号を録画再生する録画再生ユニットと、前記チューナまたは前記録画再生ユニットより出力された映像信号を表示する表示部とを備えた録画再生機能付テレビジョン受像機において、
現在時刻と曜日とを含む日時情報を管理する時計制御部と、
番組の録画予約を設定するための予約キーを有するキー入力部と、
０時から２３時までのそれぞれの時に対応させて、録画予約の録画開始時刻と録画終了時刻のそれぞれ分までを含む１または複数の録画時間枠を設定した録画時間枠設定テーブルを有し、前記キー入力部の前記予約キーが入力された時点で前記時計制御部より現在時刻を得ると共に、この現在時刻における分を除いた０時から２３時までのいずれかの時に基づいて、前記録画時間枠設定テーブルにて設定された前記１または複数の録画時間枠の内の１つを選択することにより、録画予約の録画開始時刻と録画終了時刻をそれぞれ何時何分かに設定するかを決定する録画時間枠選択部と、
いかなる録画曜日で録画予約を設定するかを選択する録画曜日選択部と、
前記予約キーが入力された時点で前記チューナによって選局されているチャンネルを、前記録画曜日選択部によって選択された録画曜日の前記録画時間枠選択部により選択された録画時間枠で録画するよう録画予約の設定を行うタイマー設定部と、
前記時計制御部からの日時情報と前記タイマー設定部による録画予約の設定とに基づいて前記録画再生ユニットを動作させるタイマー制御部とを備えて構成したことを特徴とする録画再生機能付テレビジョン受像機。
【請求項２】
前記録画曜日選択部は、複数の録画曜日選択モードと、前記キー入力部によって録画予約の設定のためのキー入力がなされた時点の曜日とを対応させた録画曜日選択テーブルを備え、この録画曜日選択テーブルに、前記キー入力がなされた時点における曜日ごとに前記それぞれの録画曜日選択モードを選択可能とするか選択不可能とするかを設定したことを特徴とする請求項１記載の録画再生機能付テレビジョン受像機。
【発明の詳細な説明】
【０００１】
【発明の属する技術分野】
本発明は、ビデオテープレコーダ（ＶＴＲ）等の録画再生ユニットを内蔵した録画再生機能付テレビジョン受像機に係り、特に、録画予約（タイマー録画）の設定方法を改良した録画再生機能付テレビジョン受像機に関する。
【０００２】
【従来の技術】
最近になって、ＶＴＲ等の録画再生ユニットを内蔵した録画再生機能付テレビジョン受像機が増えてきている。この種のテレビジョン受像機においては、視聴専用チューナと録画専用チューナとの２つのチューナを搭載することにより、あるチャンネルのある番組を視聴中に別のチャンネルの別の番組を録画することができるものがある。図８は２つのチューナを搭載した、いわゆるダブルチューナの従来の録画再生機能付テレビジョン受像機の一例を示すブロック図である。以下、図８を用いてその構成及び動作について説明する。
【０００３】
図８において、アンテナ１で受信したテレビジョン放送波は、分配器２によって、視聴専用チューナ３と録画専用チューナ５とに分配される。視聴専用チューナ３の出力は視聴専用中間周波増幅回路（視聴専用ＩＦ回路）４に入力され、映像信号と音声信号とに分けられる。録画専用チューナ５の出力は録画専用中間周波増幅回路（録画専用ＩＦ回路）６に入力され、映像信号と音声信号とに分けられる。視聴専用ＩＦ回路４からの映像信号はスイッチ７ａの一方の端子に、音声信号はスイッチ７ｂの一方の端子に入力される。録画専用ＩＦ回路６からの映像信号及び音声信号はＶＴＲユニット１０に入力され、ＶＴＲユニット１０からの映像信号はスイッチ７ａの他方の端子に、音声信号はスイッチ７ｂの他方の端子に入力される。
【０００４】
テレビジョン受像機本体に設けられるか、もしくはリモコン送信機であるキー入力部８は、回路各部を制御したり、録画予約を設定するためのものである。キー入力部８によって視聴専用チューナ３や録画専用チューナ５のチャンネル切換の指示が入力されると、その出力はキー入力制御部９に入力され、キー入力制御部９の制御によって視聴専用チューナ３や録画専用チューナ５のチャンネルが切り換えられる。また、キー入力部８によってＶＴＲユニット１０による録画や再生の指示が入力されると、その出力はキー入力制御部９に入力され、キー入力制御部９の制御によってＶＴＲユニット１０が動作する。
【０００５】
さらに、キー入力部８によって視聴専用チューナ３の出力とＶＴＲユニット１０の出力とを切り換える指示が入力されると、その出力はキー入力制御部９に入力され、キー入力制御部９からの切換信号によってスイッチ７ａ，７ｂが切り換えられる。
【０００６】
映像信号処理回路１１及び音声信号増幅回路１３にはスイッチ７ａ，７ｂを介して視聴専用ＩＦ回路４の出力か、あるいは、ＶＴＲユニット１０の出力が入力されることになる。なお、ＶＴＲユニット１０の出力はＶＴＲユニット１０による再生信号の場合もあるし、録画専用ＩＦ回路６から信号がスルーした信号の場合もある。
映像信号処理回路１１は、スイッチ７ａを介して入力された映像信号を処理して一例として陰極線管（ＣＲＴ）の表示部１２に供給する。音声信号増幅回路１３はスイッチ７ｂを介して入力された音声信号を増幅してスピーカ１４に供給する。
【０００７】
一方、電源回路１５は、商用電源周波数５０Ｈｚまたは６０Ｈｚをカウントし、そのカウント値を時計制御部１６に入力する。時計制御部１６は入力されたカウント値に基づいて計時する。時計制御部１６は現在時刻と曜日もしくは日付とを含んだ日時情報を管理する。時計の設定はオンスクリーン表示によるメニュー等により行われ、ユーザ操作によりキー入力部８の内、例えばカーソルキーが押された場合、キー入力制御部９による制御によって時計制御部１６にて設定される。なお、ここでは、表示部１２にオンスクリーン表示をさせる構成については省略している。
【０００８】
さらに、留守録と称される録画予約の設定も、上記の時計の設定と同様、オンスクリーン表示によるメニュー等により行われ、キー入力部８によるキー入力に応じたキー入力制御部９による制御によってタイマー設定部１７にて設定される。タイマー設定部１７に設定された録画日，録画開始時刻，録画終了時刻，録画チャンネル等はタイマー制御部１８に入力される。
【０００９】
タイマー制御部１８は時計制御部１６からの曜日，現在時刻とタイマー設定部１７からの録画予約情報とを比較する。そして、タイマー制御部１８は、それらが一致する所定時間前、例えば２０秒前に録画専用チューナ５を録画するチャンネルに切り換えるよう制御すると共に、ＶＴＲユニット１０を録画開始準備状態に切り換えるよう制御する。タイマー制御部１８は、録画開始時刻に録画を開始し、録画終了時刻に録画を終了するよう、ＶＴＲユニット１０を制御する。
【００１０】
【発明が解決しようとする課題】
このような録画予約の設定は、操作が複雑であり、設定方法の簡略化が望まれている。そこで、最近では、Ｇコード（ジェムスタージャパン（株）の登録商標）による数字入力のみで録画予約を簡単に設定できる方法が用いられるようになってきた。
【００１１】
ところが、新聞の番組欄には当日のＧコードしか掲載されていないので、現在視聴している番組の次回放送分以降を簡単に予約設定することができないという問題点があった。このとき、番組は、週に１回毎週放送されるもの、毎日放送されるもの、例えば月曜日から金曜日までのいわゆる帯番組として毎週放送されるもの等、種々の放送曜日のパターンがあり、次回放送分以降としてはこれらの種々の放送曜日のいずれにも対応できることが望ましい。
【００１２】
本発明はこのような問題点に鑑みなされたものであり、定まった時間枠に放送される番組の次回放送分以降を、複数種類の放送曜日のいずれにも対応して簡単に予約設定することができる録画再生機能付テレビジョン受像機を提供することを目的とする。
【００１３】
【課題を解決するための手段】
本発明は、上述した従来の技術の課題を解決するため、テレビジョン放送波を受信する少なくとも１つのチューナ（３，５）と、前記チューナより出力された映像信号を録画再生する録画再生ユニット（１０）と、前記チューナまたは前記録画再生ユニットより出力された映像信号を表示する表示部（１２）とを備えた録画再生機能付テレビジョン受像機において、現在時刻と曜日とを含む日時情報を管理する時計制御部（１６）と、番組の録画予約を設定するための予約キー（８２）を有するキー入力部（８）と、０時から２３時までのそれぞれの時に対応させて、録画予約の録画開始時刻と録画終了時刻のそれぞれ分までを含む１または複数の録画時間枠を設定した録画時間枠設定テーブルを有し、前記キー入力部の前記予約キーが入力された時点で前記時計制御部より現在時刻を得ると共に、この現在時刻における分を除いた０時から２３時までのいずれかの時に基づいて、前記録画時間枠設定テーブルにて設定された前記１または複数の録画時間枠の内の１つを選択することにより、録画予約の録画開始時刻と録画終了時刻をそれぞれ何時何分かに設定するかを決定する録画時間枠選択部（１９）と、いかなる録画曜日で録画予約を設定するかを選択する録画曜日選択部（２１）と、前記予約キーが入力された時点で前記チューナによって選局されているチャンネルを、前記録画曜日選択部によって選択された録画曜日の前記録画時間枠選択部により選択された録画時間枠で録画するよう録画予約の設定を行うタイマー設定部（１７）と、前記時計制御部からの日時情報と前記タイマー設定部による録画予約の設定とに基づいて前記録画再生ユニットを動作させるタイマー制御部（１８）とを備えて構成したことを特徴とする録画再生機能付テレビジョン受像機を提供するものである。
【００１４】
【発明の実施の形態】
以下、本発明の録画再生機能付テレビジョン受像機について、添付図面を参照して説明する。図１は本発明の録画再生機能付テレビジョン受像機の一実施例を示すブロック図、図２及び図３は本発明の録画再生機能付テレビジョン受像機の動作を説明するためのフローチャート、図４は本発明の録画再生機能付テレビジョン受像機で用いるリモコン送信機の一例を示す斜視図、図５は本発明の録画再生機能付テレビジョン受像機で用いる録画時間枠設定テーブルの一例を示す図、図６は本発明の録画再生機能付テレビジョン受像機によるオンスクリーン表示の一例を示す図、図７は本発明の録画再生機能付テレビジョン受像機で用いる録画曜日選択テーブルの一例を示す図である。なお、図１において、図８と同一部分には同一符号が付してある。
【００１５】
図１において、アンテナ１で受信したテレビジョン放送波は、分配器２によって、視聴専用チューナ３と録画専用チューナ５とに分配される。視聴専用チューナ３の出力は視聴専用中間周波増幅回路（視聴専用ＩＦ回路）４に入力され、映像信号と音声信号とに分けられる。録画専用チューナ５の出力は録画専用中間周波増幅回路（録画専用ＩＦ回路）６に入力され、映像信号と音声信号とに分けられる。視聴専用ＩＦ回路４からの映像信号はスイッチ７ａの一方の端子に、音声信号はスイッチ７ｂの一方の端子に入力される。録画専用ＩＦ回路６からの映像信号及び音声信号はＶＴＲユニット１０に入力され、ＶＴＲユニット１０からの映像信号はスイッチ７ａの他方の端子に、音声信号はスイッチ７ｂの他方の端子に入力される。
【００１６】
テレビジョン受像機本体に設けられるか、もしくはリモコン送信機であるキー入力部８は、回路各部を制御したり、録画予約を設定するためのものである。キー入力部８によって視聴専用チューナ３や録画専用チューナ５のチャンネル切換の指示が入力されると、その出力はキー入力制御部９に入力され、キー入力制御部９の制御によって視聴専用チューナ３や録画専用チューナ５のチャンネルが切り換えられる。
【００１７】
また、キー入力部８によってＶＴＲユニット１０による録画や再生の指示が入力されると、その出力はキー入力制御部９に入力され、キー入力制御部９の制御によってＶＴＲユニット１０が動作する。
【００１８】
さらに、キー入力部８によってオンスクリーン表示をさせる指示が入力されると、その出力はキー入力制御部９に入力され、キー入力制御部９の制御によってオンスクリーン表示制御部２０にてオンスクリーン信号が生成される。オンスクリーン表示制御部２０は映像信号処理回路１１にオンスクリーン信号を入力し、所定のオンスクリーン表示がなされる。
【００１９】
また、キー入力部８によって視聴専用チューナ３の出力とＶＴＲユニット１０の出力とを切り換える指示が入力されると、その出力はキー入力制御部９に入力され、キー入力制御部９からの切換信号によってスイッチ７ａ，７ｂが切り換えられる。
【００２０】
映像信号処理回路１１及び音声信号増幅回路１３にはスイッチ７ａ，７ｂを介して視聴専用ＩＦ回路４の出力か、あるいは、ＶＴＲユニット１０の出力が入力されることになる。なお、ＶＴＲユニット１０の出力はＶＴＲユニット１０による再生信号の場合もあるし、録画専用ＩＦ回路６から信号がスルーした信号の場合もある。
映像信号処理回路１１は、スイッチ７ａを介して入力された映像信号を処理して一例として陰極線管（ＣＲＴ）の表示部１２に供給する。音声信号増幅回路１３はスイッチ７ｂを介して入力された音声信号を増幅してスピーカ１４に供給する。
【００２１】
一方、電源回路１５は、商用電源周波数５０Ｈｚまたは６０Ｈｚをカウントし、そのカウント値を時計制御部１６に入力する。時計制御部１６は入力されたカウント値に基づいて計時する。時計制御部１６は現在時刻と曜日もしくは日付を含んだ日時情報を管理する。時計の設定はオンスクリーン表示によるメニュー等により行われ、ユーザ操作によりキー入力部８の内、例えばカーソルキーが押された場合、キー入力制御部９による制御によって時計制御部１６にて設定される。
【００２２】
本発明では、留守録とも称される録画予約の設定は、以下のようになされる。本発明は、視聴専用チューナ３もしくは録画専用チューナ５にて選局され、表示部１２にて表示されている、現在視聴中の番組の次回放送分以降を簡単に予約設定するためのものである。
【００２３】
キー入力部８がリモコン送信機の場合、キー入力部８は図４のように構成される。リモコン送信機であるキー入力部８は、マトリクス状の数字キー８１，予約キー８２，標準／３倍の切換キー８３を備える。
【００２４】
キー入力制御部９は、図２のステップＳ１において、キー入力部８における予約キー８２が押されたかどうかを判断する。予約キー８２が押されると、キー入力制御部９の出力は時計制御部１６，録画時間枠選択部１９に入力される。録画時間枠選択部１９は、図２のステップＳ２において、時計制御部１６より現在時刻及び曜日を読み込む。録画時間枠選択部１９は、図２のステップＳ３において、読み込んだ現在時刻に応じて録画時間枠を設定する。
【００２５】
ここで、録画時間枠選択部１９が設定する録画時間枠について説明する。録画時間枠選択部１９は、一例として図５に示すような録画時間枠設定テーブルを備えている。図５に示す録画時間枠設定テーブルにおいて、それぞれ現在時刻に応じて録画時間１〜録画時間４の録画時間枠を設定している。それぞれの録画時間枠、即ち、録画開始時刻と録画終了時刻は、録画開始時刻が現在時刻以前、録画終了時刻が現在時刻以降である。なお、録画時間枠設定テーブル中の現在時刻とは、分を除いた時刻であり、２０時１０分でも２０時３０分でも、あるいは２０時４５分でも、現在時刻は２０時であるとする。
【００２６】
例えば、時計制御部１６より読み込んだ現在時刻が２０時３０分であったとすると、録画時間枠選択部１９は、録画時間枠設定テーブルにおける現在時刻２０時の欄における最も優先順位の高い録画時間１である、録画時間２０時００分〜２１時００分を選択する。
なお、録画時間枠設定テーブルに設定する録画時間枠は、図５より分かるように、１時間枠，前半３０分枠，後半３０分枠，２時間枠を基本としており、時間帯に応じて最適化する。例えば２０時台では、３０分刻みの番組が少ないことから、２０時００分〜２１時００分が最も優先順位の高い録画時間１となっており、その次に優先順位の高い録画時間２では、１９時００分から２１時００分が録画時間枠となっている。
【００２７】
録画するチャンネルは表示部１２にて現在視聴中の番組であり、録画時間枠選択部１９にはチャンネルの情報もキー入力制御部９より入力され、また、予め設定されている標準／３倍の録画モードの情報もキー入力制御部９より入力されるので、録画時間枠選択部１９はそのチャンネルや録画モードの情報と上記のように設定した録画時間枠とをタイマー設定部１７に入力する。タイマー設定部１７はこれらの情報をオンスクリーン表示制御部２０に入力する。オンスクリーン表示制御部２０は、図２のステップＳ４において、予約設定画面をオンスクリーン表示すべく、映像信号処理回路１１にオンスクリーン信号を入力する。オンスクリーン表示の一例を図６に示す。
【００２８】
次に、キー入力制御部９は、図２のステップＳ５において、キー入力部８における録画時間枠を変更するための時間変更キー（ここでは、数字キーの２とする）が押されたかどうかを判断する。時間変更キー“２”が押されたら、図２のステップＳ６において、録画時間枠選択部１９は次に優先順位の高い録画時間２を選択し、ステップＳ４に戻る。従って、録画時間枠が変更されると、図６に示すオンスクリーン表示における▲１▼で示す破線で囲んだ録画開始時刻や録画時間が変更される。なお、図２では図示していないが、キー入力部８の切換キー８３によって標準／３倍の録画モードが変更された場合は、▲２▼で示す破線で囲んだ録画モード（録画スピード）が変更される。
【００２９】
さらに、キー入力制御部９は、図２のステップＳ７において、キー入力部８における録画曜日を変更するための録画曜日変更キー（ここでは、数字キーの３とする）が押されたかどうかを判断する。録画曜日変更キー“３”が押されると、キー入力制御部９の出力は録画曜日選択部２１に入力される。録画曜日選択部２１は、いかなる録画曜日で録画予約を設定するかを選択するためのものである。録画曜日選択部２１は、図２のステップＳ８において、録画しようとしている番組の録画曜日を変更し、その変更によって選択した録画曜日をタイマー設定部１７に入力する。なお、録画曜日とは、例えば、「来週の１回」，「毎週」，「毎日」，「毎週月〜土」，「毎週月〜金」，「毎週月〜木」等のことである。
【００３０】
タイマー設定部１７は録画曜日変更の情報をオンスクリーン表示制御部２０に入力する。そこで、オンスクリーン表示制御部２０は、図２のステップＳ９において、予約設定画面を変更して表示する。もしくは、新たな別の予約設定画面を表示してもよい。本実施例では、図２のステップＳ４において、予約設定画面がオンスクリーン表示されると、まず、図６に▲３▼で示す破線で囲んで示しているように、来週の１回の録画予約となるよう表示される。従って、録画曜日が変更されると、その録画曜日の部分が他の録画曜日へと変更される。なお、図６中に示す▲１▼，▲２▼，▲３▼はオンスクリーン表示ではなく、便宜上付したものである。
【００３１】
ここで、図１における録画曜日選択部２１の動作、及び、図２における破線で囲んだステップＳ７からステップＳ８に移行する際のより望ましい構成について、図３及び図７を用いて説明する。
【００３２】
録画曜日選択部２１は、図７に示すような録画曜日選択テーブルを備えている。この録画曜日選択テーブルには、図７に示すように、録画曜日選択モードとして、「１回（次週分）」，「毎週」，「月〜土」，「月〜金」，「月〜木」，「毎日」を設定しており、それぞれに対し０〜５のコードを割り当てている。さらに、それに対応させて、予約設定している現在の曜日ごとにその録画曜日を選択可能か否かの曜日選択情報を設定している。図７において、“○”は選択可能（スキップしない）を意味し、“−”は選択不可能（スキップする）を意味する。
【００３３】
図３に示すように、ステップＳ７において、録画曜日選択キー“３”が押されると、録画曜日選択部２１は、ステップＳ７１で曜日選択コードをインクリメントし、曜日選択コードを切り替える。このとき、ステップＳ７２で曜日選択コードが６以上になったかを判定し、曜日選択コードが６以上になった場合には、ステップＳ７３で曜日選択コードを０とする。これによって、曜日選択コードが「毎日」である５のときに、録画曜日変更キー“３”が押されたら、「１回」の０に戻ることになる。曜日選択コードが６以上でなければ、ステップＳ７４に移る。
【００３４】
録画曜日選択部２１には、時計制御部１６からの現在の曜日が入力されているので、図３のステップＳ７４において、現在の曜日を基にして、図７に示す録画曜日選択テーブルより曜日選択情報を読み出す。そして、ステップＳ７５において、ステップＳ７４で選択された曜日選択コードが現在の曜日にて選択可能か否か（スキップするかしないか）を判定する。
【００３５】
例えば、図７において、現在の曜日が土曜日で、曜日選択モードが「月〜土」（曜日選択コードが２）であれば、スキップしないので選択可能である。現在の曜日が土曜日で、曜日選択モードが「月〜金」（曜日選択コードが３）や「月〜木」（曜日選択コードが４）であれば、スキップするのでこれらの録画曜日は選択不可能となる。
このように、ステップＳ７５において、スキップしないのであれば、ステップＳ８にそのまま移って録画曜日を変更する。スキップするのであれば、ステップＳ７１に戻り、次の録画曜日に切り替えるようにする。
【００３６】
このように、本実施例では、現在の曜日に応じて選択可能な録画曜日を設定しているので、例えば、現在の曜日が土曜日で、本来であれば「月〜土」を選択したいにもかかわらず、誤って「月〜金」や「月〜木」を選択してしまうという不具合を回避することができる。よって、視聴者は、目的とする録画予約を確実に設定することができ、誤った録画予約を設定してしまうことはない。
【００３７】
一方、再び、図２に戻り、最初にオンスクリーン表示した予約設定画面の内容で問題なく、図２のステップＳ５で時間変更キー“２”が押されず、また、ステップＳ７で録画曜日選択キー“３”が押されなければ、キー入力制御部９は、図２のステップＳ１０において、登録キー（ここでは、数字キーの１とする）が押されたかどうかを判断する。登録キー“１”が押されたら、図２のステップＳ１１において、録画予約の設定内容はタイマー設定部１７からタイマー制御部１８に入力され、予約設定される。なお、図６においては、登録キー“１”が押された後のオンスクリーン表示の例も併せて示している。そして、オンスクリーン表示制御部２０は、図２のステップＳ１２において、予約設定画面を消去し、ステップＳ１に戻る。
【００３８】
図２のステップＳ１０で登録キー“１”が押されなかったら、タイマー設定部１７は、図２のステップＳ１３において、予約設定画面の表示から所定時間、例えば５秒間待ち、予約設定を行うことなく、図２のステップＳ１２で予約設定画面を消去し、ステップＳ１に戻る。
これにより、録画の予約モードが解除され、新たに予約キー８２が押されるのを待機する。
【００３９】
そして、従来と同様、タイマー制御部１８は時計制御部１６からの曜日，現在時刻とタイマー設定部１７から入力された録画予約情報とを比較する。そして、タイマー制御部１８は、それらが一致する所定時間前、例えば２０秒前に録画専用チューナ５を録画するチャンネルに切り換えるよう制御すると共に、ＶＴＲユニット１０を録画開始準備状態に切り換えるよう制御する。タイマー制御部１８は、録画開始時刻に録画を開始し、録画終了時刻に録画を終了するよう、ＶＴＲユニット１０を制御する。
【００４０】
なお、図１中のキー入力制御部９，時計制御部１６，タイマー設定部１７，タイマー制御部１８，録画時間枠選択部１９，オンスクリーン表示制御部２０，録画曜日選択部２１の部分は、マイクロコンピュータによって構成することができる。
さらに、本実施例では、視聴専用チューナ３と録画専用チューナ５との２つのチューナを搭載したダブルチューナのテレビジョン受像機について説明したが、勿論、チューナ１つのテレビジョン受像機であってもよい。
【００４１】
【発明の効果】
以上詳細に説明したように、本発明の録画再生機能付テレビジョン受像機によれば、定まった時間枠に放送される番組の次回放送分以降を、複数種類の放送曜日のいずれにも対応して簡単に予約設定することができる。
【図面の簡単な説明】
【図１】本発明の一実施例を示すブロック図である。
【図２】本発明の動作を説明するためのフローチャートである。
【図３】本発明の動作を説明するためのフローチャートである。
【図４】本発明で用いるリモコン送信機の一例を示す斜視図である。
【図５】本発明で用いる録画時間枠設定テーブルの一例を示す図である。
【図６】本発明によるオンスクリーン表示の一例を示す図である。
【図７】本発明で用いる録画曜日選択テーブルの一例を示す図である。
【図８】従来例を示すブロック図である。
【符号の説明】
１  アンテナ
２  分配器
３  視聴専用チューナ
４  視聴専用中間周波増幅回路
５  録画専用チューナ
６  録画専用中間周波増幅回路
７ａ，７ｂ  スイッチ
８  キー入力部
９  キー入力制御部
１０  ＶＴＲユニット（録画再生ユニット）
１１  映像信号処理回路
１２  表示部
１３  音声信号増幅回路
１４  スピーカ
１５  電源回路
１６  時計制御部
１７  タイマー設定部
１８  タイマー制御部
１９  録画時間枠選択部
２０  オンスクリーン表示制御部
２１  録画曜日選択部
【図１】
0003552083.tif 000002
【図２】
0003552083.tif 000003
【図３】
0003552083.tif 000004
【図４】
0003552083.tif 000005
【図５】
0003552083.tif 000006
【図６】
0003552083.tif 000007
【図７】
0003552083.tif 000008
【図８】
0003552083.tif 000009